(57)【要約】【課題】カードの接触パッドを利用してカードの装着の検出を行う場合においても、非検出対象カードの挿入に伴って誤検出される事態を防止すること。【解決手段】接触パッド間に配置される仕切り壁の形状が異なる複数のカードを選択的に装着可能なハウジング２と、検出対象カード（カードＡ）の同一の接触パッド７０６に接触する一対のカード検出用のコンタクト端子２１４、２１５とを具備し、一方のカード検出用のコンタクト端子２１４に、非検出対象カード（カードＢ）の仕切り壁８０４に当接して当該仕切り壁８０４の高さ方向に移動させる当接部２１４ｂを設け、当該コンタクト端子２１４を他方のコンタクト端子２１５から仕切り壁２１４ｂの高さ方向に離間させたことを特徴とする。【選択図】図２
2011054460.tif 000002
【特許請求の範囲】
【請求項１】
接触パッド間に配置される仕切り壁の形状が異なる複数のカードを選択的に装着可能なハウジングと、検出対象カードの同一の前記接触パッドに接触する一対のカード検出用のコンタクト端子とを具備し、
前記カード検出用のコンタクト端子の一方に、非検出対象カードの前記仕切り壁に当接して当該仕切り壁の高さ方向に移動させる当接部を設け、当該コンタクト端子を他方のコンタクト端子から前記仕切り壁の高さ方向に離間させたことを特徴とするカード用コネクタ。
【請求項２】
前記カード検出用のコンタクト端子の一部を前記非検出対象カードの仕切り壁側に張り出させて前記当接部を形成したことを特徴とする請求項１記載のカード用コネクタ。
【請求項３】
前記カード検出用のコンタクト端子における前記接触パッドとの接触部から離間した位置に前記当接部を設けたことを特徴とする請求項１又は請求項２記載のカード用コネクタ。
【請求項４】
前記カード検出用のコンタクト端子における前記接触パッドとの接触部は、当該コンタクト端子の一端に形成された湾曲形状部の頂部で構成され、前記当接部を有する一方のコンタクト端子の前記湾曲形状部が他方のコンタクト端子の前記湾曲形状部内に収容可能に構成されることを特徴とする請求項１から請求項３のいずれかに記載のカード用コネクタ。
【請求項５】
前記ハウジングにおけるカード挿入方向の手前側に前記検出対象カード用の第１コンタクト端子を設ける一方、前記第１コンタクト端子よりもカード挿入方向の奥側に前記非検出対象カード用の第２コンタクト端子を設けたことを特徴とする請求項１から請求項４のいずれかに記載のカード用コネクタ。
【請求項６】
前記第１コンタクト端子の基端部をカード挿入口側に配置する一方、先端部をカード挿入方向の奥側に向けて延出させ、前記当接防止部を基端部側の一部に設けたことを特徴とする請求項５記載のカード用コネクタ。
【発明の詳細な説明】
【技術分野】
【０００１】
本発明は、カード用コネクタに関し、特に、複数種類のカードの装着に対応可能なカード用コネクタに関する。
【背景技術】
【０００２】
従来、カードの接触パッドを利用してカードの装着の検出を行うカード用コネクタが知られている（例えば、特許文献１参照）。このカード用コネクタにおいては、カードの接触パッドに接触可能な一対のコンタクト端子を備え、カードの挿入に伴ってこれらの一対のコンタクト端子間の導通状態が切り替わることを利用してカードの装着を検出するように構成されている。
【先行技術文献】
【特許文献】
【０００３】
【特許文献１】特開２００２−１１０２９１号公報
【発明の概要】
【発明が解決しようとする課題】
【０００４】
近年、カード用コネクタにおいては、複数のカードを装着可能なコンバインタイプのものが要請されている。このようなカード用コネクタに挿入される複数のカードにおいては、それらの規格によって接触パッドの位置と、接触パッド間を仕切る仕切り壁の位置が異なっている。上述したような従来のカード用コネクタにおいては、検出対象カードと異なる規格のカード（非検出対象カード）が挿入された場合に、当該非検出対象カードの仕切り壁によって一対のコンタクト端子が移動され、両者が接触してしまい、カードの装着が誤検出され得るという問題がある。
【０００５】
本発明は、このような問題点に鑑みてなされたものであり、カードの接触パッドを利用してカードの装着の検出を行う場合においても、非検出対象カードの挿入に伴って誤検出される事態を防止することができるカード用コネクタを提供することを目的とする。
【課題を解決するための手段】
【０００６】
本発明のカード用コネクタは、接触パッド間に配置される仕切り壁の形状が異なる複数のカードを選択的に装着可能なハウジングと、検出対象カードの同一の前記接触パッドに接触する一対のカード検出用のコンタクト端子とを具備し、前記カード検出用のコンタクト端子の一方に、非検出対象カードの前記仕切り壁に当接して当該仕切り壁の高さ方向に移動させる当接部を設け、当該コンタクト端子を他方のコンタクト端子から前記仕切り壁の高さ方向に離間させたことを特徴とする。
【０００７】
上記カード用コネクタによれば、当接部によってカード検出用の一方のコンタクト端子を他方のコンタクト端子から仕切り壁の高さ方向に離間させるようにしたことから、カード検出用の一方のコンタクト端子が仕切り壁の側面に沿って他方のコンタクト端子側に移動して両者が導通することを防止することができるので、検出対象カードの接触パッドを利用して当該カードの装着の検出を行う場合においても、非検出対象カードの挿入に伴って誤検出される事態を防止することが可能となる。
【０００８】
上記カード用コネクタにおいては、前記カード検出用のコンタクト端子の一部を前記非検出対象カードの仕切り壁側に張り出させて前記当接部を形成することが好ましい。このようにカード検出用のコンタクト端子の一部を非検出対象カードの仕切り壁側に張り出させて当接部を形成したことから、安価且つ簡単な構成でカード検出用の一方のコンタクト端子が仕切り壁の側面に沿って他方のコンタクト端子側に移動して両者が導通することを防止することが可能となる。
【０００９】
上記カード用コネクタにおいては、前記カード検出用のコンタクト端子における前記接触パッドとの接触部から離間した位置に前記当接部を設けることが好ましい。この場合には、非検出対象カードの仕切り壁と当接する当接部を、カード検出用のコンタクト端子における接触パッドとの接触部から離間した位置に設けていることから、当該コンタクト端子の接触部が仕切り壁と接触することを防止でき、接触部が摩耗する事態を防止することができるので、一対のカード検出用のコンタクト端子における接触安定性を確保することが可能となる。
【００１０】
上記カード用コネクタにおいて、前記カード検出用のコンタクト端子における前記接触パッドとの接触部は、当該コンタクト端子の一端に形成された湾曲形状部の頂部で構成され、前記当接部を有する一方のコンタクト端子の前記湾曲形状部が他方のコンタクト端子の前記湾曲形状部内に収容可能に構成されることが好ましい。この場合には、当接部を有する一方のコンタクト端子の湾曲形状部を他方のコンタクト端子の湾曲形状部内に収容可能に構成していることから、仮に、非検出対象カードの挿入に伴って当接部を有する一方のコンタクト端子が他方のコンタクト端子側に移動した場合においても、確実に双方のコンタクト端子が接触する事態を防止することが可能となる。
【００１１】
上記カード用コネクタにおいて、前記ハウジングにおけるカード挿入方向の手前側に前記検出対象カード用の第１コンタクト端子を設ける一方、前記第１コンタクト端子よりもカード挿入方向の奥側に前記非検出対象カード用の第２コンタクト端子を設けることが好ましい。この場合には、カード挿入方向の手前側に検出対象カード用の第１コンタクト端子が配置される一方、カード挿入方向の奥側に非検出対象カード用の第２コンタクト端子が配置されることから、カードの種類に応じて装着位置をカード挿入方向の前後にずらしたカード用コネクタにおいて、奥側まで挿入される非検出対象カードの挿入に伴う誤検出を確実に防止することが可能となる。
【００１２】
上記カード用コネクタにおいては、前記第１コンタクト端子の基端部をカード挿入口側に配置する一方、先端部をカード挿入方向の奥側に向けて延出させ、前記当接部を基端部側の一部に設けることが好ましい。この場合には、カード挿入口側に配置された第１コンタクト端子の基端部側の一部に当接部を設けたことから、検出対象カードの挿入に伴ってその先端部が当接する事態を防止できるので、第１コンタクト端子が座屈する事態を防止することが可能となる。
【発明の効果】
【００１３】
本発明によれば、当接部によってカード検出用の一方のコンタクト端子を他方のコンタクト端子から仕切り壁の高さ方向に離間させるようにしたことから、カード検出用の一方のコンタクト端子が仕切り壁の側面に沿って他方のコンタクト端子側に移動して両者が導通することを防止することができるので、検出対象カードの接触パッドを利用して当該カードの装着の検出を行う場合においても、非検出対象カードの挿入に伴って誤検出される事態を防止することが可能となる。
【図面の簡単な説明】
【００１４】
【図１】本発明の一実施の形態に係るカード用コネクタの外観を示す斜視図である。
【図２】上記実施の形態に係るカード用コネクタの内部の構成を説明するための斜視図である。
【図３】上記実施の形態に係るカード用コネクタの内部の構成を説明するための上面図である。
【図４】上記実施の形態に係るカード用コネクタのハウジングに選択的に装着されるカードＡの上面図（ａ）及び下面図（ｂ）である。
【図５】上記実施の形態に係るカード用コネクタのハウジングに選択的に装着されるカードＢの上面図（ａ）及び下面図（ｂ）である。
【図６】上記実施の形態に係るカード用コネクタのハウジングに選択的に装着されるカードＡ、カードＢの先端部を説明するための図である。
【図７】上記実施の形態に係るカード用コネクタにカードＡを挿入した場合の動作について示す上面図である。
【図８】上記実施の形態に係るカード用コネクタにカードＡを挿入した場合の動作について示す上面図である。
【図９】上記実施の形態に係るカード用コネクタにカードＡを挿入した場合の動作について示す上面図である。
【図１０】図９に示す状態のカード用コネクタの検出用コンタクト周辺の下面図である。
【図１１】図９に示す状態のカード用コネクタの検出用コンタクト周辺の側断面図である。
【図１２】上記実施の形態に係るカード用コネクタにカードＢを挿入した場合の動作について示す上面図である。
【図１３】上記実施の形態に係るカード用コネクタにカードＢを挿入した場合の動作について示す上面図である。
【図１４】上記実施の形態に係るカード用コネクタにカードＢを挿入した場合の動作について示す上面図である。
【図１５】図１２に示す状態のカード用コネクタの検出用コンタクト周辺の下面図である。
【図１６】図１２に示す状態のカード用コネクタの検出用コンタクト周辺の側断面図である。
【図１７】図１３に示す状態のカード用コネクタの検出用コンタクト周辺の下面図である。
【図１８】図１４に示す状態のカード用コネクタの検出用コンタクト周辺の下面図である。
【発明を実施するための形態】
【００１５】
以下、本発明の一実施の形態について添付図面を参照して詳細に説明する。なお、本実施の形態に係るカード用コネクタ（以下、単に「コネクタ」という）は、複数種類のカードを選択的に装着可能とするものである。例えば、本実施の形態に係るコネクタにおいては、ＳＤ（secure  digital）カード、ＭＭＣ（Multi  Media  Card）カード、メモリースティックカードの３種類のカードが装着可能に構成されている。
【００１６】
ここで、ＳＤカードには、例えば、BluetoothやPHSなどを利用した無線通信機能などのデータ記録以外の様々な機能を追加可能なＳＤＩＯ（Secure  Digital  Input/Output）カードも含まれるものとする。以下の説明においては、このＳＤＩＯをＳＤカードの例として利用して説明をするものとする。また、ＭＭＣカードは、その厚さが僅かに薄い点を除き、ＳＤカードと略同様の形状を有するため、本実施の形態に係るコネクタにおいては、同一の態様で装着される。以下においては、適宜、ＳＤカード及びＭＭＣカードを「カードＡ」と呼び、メモリースティックカードを「カードＢ」と呼ぶものとする。本実施の形態に係るコネクタにおいて、カードＡが検出対象カードを構成し、カードＢが非検出対象カードを構成するものである。
【００１７】
図１は、本発明の一実施の形態に係るコネクタ１の外観を示す斜視図である。なお、以下においては、適宜、図１に示す紙面右下方側を「コネクタ１の前方側」又は単に「前方側」と呼び、同図に示す紙面左上方側を「コネクタ１の後方側」又は単に「後方側」と呼ぶものとする。また、図１に示す紙面右方側を「コネクタ１の右方側」又は単に「右方側」と呼び、同図に示す紙面左方側を「コネクタ１の左方側」又は単に「左方側」と呼ぶものとする。
【００１８】
図１に示すように、本実施の形態に係るコネクタ１は、合成樹脂材料などの絶縁材料を成型して形成されるハウジング２と、金属薄板材料に打ち抜き加工及び折り曲げ加工などを施して形成されるカバー部材３とを備えている。ハウジング２は、概して偏平な直方体形状を有しており、その上方側及び前方側に開口した空間を有している。カバー部材３は、ハウジング２の上方側の開口部に対応する形状を有しており、ハウジング２の上方側から被せられる。これらを組み合わせることにより、コネクタ１は、前方側にのみ開口した形状となり、この開口部でカード挿入口４が構成される。なお、カバー部材３は、合成樹脂材料などの絶縁材料を成型して形成しても良い。
【００１９】
カバー部材３の前方側の中央部には、カード挿入口４を介して装着されたカードを引き抜き易くするための切り欠き部３０１が形成されている。また、カバー部材３の上面には、複数の付勢片３０２が形成されている。これらの付勢片３０２は、僅かに下方側に折り曲げられ、ハウジング２内に挿入されたカードＡ、並びに、後述する排出機構５の係止部材５０３を上方側から付勢する。さらに、カバー部材３の上面には、装着されたカードＡに対する書込み許容状態で後述する検出機構６の当接部６０２を初期位置に支持する支持片３０３が形成されている。さらに、カバー部材３の側面には、後述するハウジング２の係合片２０３と係合する複数の開口部３０４が形成されている。これらの開口部３０４にハウジング２の係合片２０３が係合することで、ハウジング２に対してカバー部材３が固定されることとなる。
【００２０】
以下、本実施の形態に係るコネクタ１の内部の構成について説明する。図２は、本実施の形態に係るコネクタ１の内部の構成を説明するための斜視図である。図３は、本実施の形態に係るコネクタ１の内部の構成を説明するための上面図である。なお、図２及び図３においては、説明の便宜上、図１に示す状態のコネクタ１からカバー部材３を取り除いた場合について示している。
【００２１】
図２及び図３に示すように、ハウジング２の内部には一定の空間が形成されており、この空間の一部で複数種類のカードが装着可能な空間（以下、適宜「カード装着空間」という）が構成される。この空間には、複数種類のカードに対応するコンタクト端子、複数種類のカードの排出を行う排出機構５、並びに、カードＡの書き込みの許否状態を検出する検出機構６が配設されている。ハウジング２内の空間において、排出機構５は、カード装着空間の右方側の位置に配設されており、検出機構６は、カード装着空間の左方側の位置に配設されている。複数種類のカードに対応するコンタクトは、カード挿入口４からのカードの挿入経路上に適宜配設されている。
【００２２】
ハウジング２は、コネクタ１の底面部を構成するベース部２０１と、コネクタ１の側端部において、このベース部２０１から上方側に垂直に立設された側壁部２０２とを有している。ベース部２０１には、詳細について後述するように、複数種類のカードに対応するコンタクトが設けられると共に、これらのコンタクトを保護するための構成が形成されている。側壁部２０２の外側面には、カバー部材３の開口部３０４と係合する複数の係合片２０３が形成されている。また、側壁部２０２の前面部の内側面は、カード挿入口４の一部を規定するものであり、主にカードＡの挿入をガイドする第１ガイド部２０４と、カードＢの挿入をガイドする第２ガイド部２０５とが形成されている。第１ガイド部２０４は、側壁部２０２の上端側に形成されており、挿入時におけるカードＡの側面及び下面をガイドするように構成されている。一方、第２ガイド部２０５は、第１ガイド部２０４よりも下方側に形成され、挿入時におけるカードＢの側面及び下面をガイドするように構成されている。
【００２３】
左方側の側壁部２０２には、カードＡの書込み防止機能の状態を検出する検出機構６を収容する収容部２０６が形成されている。収容部２０６は、カード挿入口４側の位置に配設されており、検出機構６の一部を内部側に露出させた状態で検出機構６を収容する。右方側の側壁部２０２における後面部の内側面には、排出機構５の一部を構成する圧縮ばね５０２の一端を保持する保持片２０７が形成されている。保持片２０７は、コネクタ１の前方側に向かって一定長さだけ延在している。また、この後面部には、排出機構５の一部を構成する係止部材５０３の一端を係止する係止穴２０８が形成されている。この係止穴２０８は、係止部材５０３の一端が上方側から差し込まれるように構成されている。
【００２４】
ハウジング２の後壁部２０９には、第２コンタクト端子としてのカードＢ用のコンタクト端子（以下、適宜「カードＢ用コンタクト」という）２１０がコネクタ１の左右方向に整列して設けられている。カードＢ用コンタクト２１０は、基端部が後壁部２０９に固定される一方、先端部がコネクタ１の前方側であって僅かに上方側に延在し、一定範囲で上下方向に揺動可能となっている。カードＢ用コンタクト２１０の先端部には上方側に向けて突出する湾曲形状部２１１が設けられており、その頂部２１１ａの近傍でカードＢの接触パッドと接触するように構成されている。なお、これらのカードＢ用コンタクト２１０の一端は、ハウジング２の後壁部２０９の後方側からコネクタ１の外部に導出され、カードＢに対する信号を入出力可能に構成されている。
【００２５】
また、ハウジング２のベース部２０１の中央近傍には、コネクタ１の左右方向に整列して第１コンタクト端子としての複数のカードＡ用のコンタクト端子（以下、適宜「カードＡ用コンタクト」という）２１２が設けられている。カードＡ用コンタクト２１２は、基端部がベース部２０１に固定される一方、先端部がコネクタ１の後方側であって僅かに上方側に延在し、一定範囲で上下方向に揺動可能となっている。また、カードＡ用コンタクト２１２の先端部には、カードＢ用コンタクト２１０と同様に、上方側に向けて突出する湾曲形状部２１３が設けられており、その頂部２１３ａの近傍でカードＡの接触パッドと接触するように構成されている。
【００２６】
カードＡ用コンタクト２１２には、カードＡの装着の有無を検出する一対のカード検出用のコンタクト端子（以下、「検出用コンタクト」という）２１４、２１５が含まれている。これらの検出用コンタクト２１４、２１５は、カードＡの同一の接触パッドに接触可能に構成されており、カードＡの挿入に伴ってこれらの検出用コンタクト２１４、２１５間の導通状態が切り替わることを利用してカードＡの装着を検出するように構成されている。なお、詳細について後述するように、検出用コンタクト２１５の湾曲形状部２１５ａは、検出用コンタクト２１４の湾曲形状部２１４ａが接近してきた場合にこれを収容できるように緩やかな湾曲形状に構成されている。一方、検出用コンタクト２１４の湾曲形状部２１４ａは、検出用コンタクト２１５に接近した場合に湾曲形状部２１５ａに収容されるように急峻な湾曲形状に構成されている。
【００２７】
また、一方の検出用コンタクト２１４の湾曲形状部２１４ａよりも前方側には、当接部としての張出部２１４ｂが、湾曲形状部２１４ａから離間して形成されている。張出部２１４ｂは、カードの挿入方向と直交する方向（コネクタ１の左方向）に張り出すように形成されている。張出部２１４ｂは、カードＢの挿入に伴って後述する仕切り壁８０４の下面に当接して仕切り壁８０４の高さ方向に検出用コンタクト２１４を移動させ、検出用コンタクト２１４を検出用コンタクト２１５から仕切り壁８０４の高さ方向に離間させる役割を果たすものとなっている。
【００２８】
ハウジング２のベース部２０１には、カードＡ用コンタクト２１２と、カードＢ用コンタクト２１０との間に、コネクタ１の左右方向に整列して、カードＢ用コンタクト２１０を保護するための複数の突出片２１６が設けられている。複数の突出片２１６は、カードＢの挿入時にカードＢ用コンタクト２１０がカードＢにより座屈しないように保護するものである。また、最も左方側に配置された突出片２１６の左方側には、カードＢにおける逆方向での挿入を防止するための突出壁２１７が設けられている。突出壁２１７は、カードＢが適切な方向で挿入された場合には、カードＢの下面に形成される凹部に収容される。一方、カードＢが逆方向に挿入された場合には、カードＢの先端部に当接することで、カードＢの逆方向での挿入を防止する。
【００２９】
排出機構５は、スライド部材５０１と、圧縮ばね５０２と、係止部材５０３とから構成されている。スライド部材５０１は、概して、コネクタ１の前後方向に延在する直方体形状を有しており、ハウジング２の右方側の側壁部２０２に沿って前後方向にスライド可能に構成されている。詳細について後述するように、使用者によるカードに対する押圧操作に応じて、カードをコネクタ１における所定の装着位置から排出位置に移動させる役割を果たすものである。
【００３０】
圧縮ばね５０２は、後方側の端部がハウジング２の保持片２０７に保持され、前方側の端部がスライド部材５０１の下面側の不図示の保持片に保持されており、スライド部材５０１を前方側に付勢する付勢力を付与している。係止部材５０３は、その前端部及び後端部で下方側に折り曲げられた形状を有している。後方側の一端がハウジング２の係止穴２０８に差し込まれ、前方側の一端がスライド部材５の上面に形成されたガイド溝５１１と係合している。係止部材５０３は、圧縮ばね５０２による付勢力に抗してスライド部材５０１の前方側への移動を規制する役割を果たすものである。係止部材５０３の上部には、カバー部材３の付勢片３０２が載置され、係止部材５０３は、ガイド溝５１１に係合するよう下方側に僅かに付勢された状態となっている。
【００３１】
スライド部材５０１には、カードＡの右方側の先端部と当接する第１当接部５０４、並びに、カードＢの右方側の先端部と当接する第２当接部５０５が設けられている。第１当接部５０４は、カードＡの先端部の形状に応じた傾斜面で構成されており、第２当接部５０５は、スライド部材５０１の先端部からカード装着空間に突出して設けられ、カードの挿入方向に垂直な平面で構成されている。スライド部材５０１は、これらの第１当接部５０４、第２当接部５０５でカードＡ、カードＢと当接し、使用者による各カードの挿入動作に伴ってコネクタ１の前後方向にスライド可能に構成されている。
【００３２】
また、スライド部材５０１の内側面部には、後述するカードＡの凹部７０３と係合する係合部５０６ａを有する板状部５０６がカード装着空間に突出して設けられている。板状部５０６は、カード挿入方向に沿って延在して設けられ、概してその上面がハウジング２の第１ガイド部２０４の下面と平行するように、スライド部材５０１に配置されている。係合部５０６ａは、板状部５０６の前方側の一部に設けられ、板状部５０６の上面よりも僅かに上方側に突出した状態となっている。係合部５０６ａは、カード装着空間に挿入されたカードＡの凹部７０３と係合することで、排出動作時にカードＡが飛び出すことを防止する役割を果たすものとなっている。
【００３３】
スライド部材５０１の上面であって、第１当接部５０４の後方側には、図３に示すように、概してループ状のガイド溝５１１が形成されている。ガイド溝５１１の中央には、概してハート形状を有するハート形カム５１２が設けられている。ガイド溝５１１は、ハート形カム５１２の両側に配置される第１ガイド溝５１３、第２ガイド溝５１４、係止部材５０３を係止する係止部５１５を有する凹み溝５１６、並びに、直線状ガイド溝５１７で構成される。係止部材５０３は、このようなガイド溝５１１をカードの挿入動作に応じて一定方向に進む。なお、ガイド溝５１１における係止部材５０３の案内経路上には、係止部材５０３の逆方向への進行を防止する段差部が形成されている。
【００３４】
このようなガイド溝５１１において、カードが装着されていない場合、係止部材５０３は、図３に示すように、直線状ガイド溝５１７の後方側端部に配置された状態となっている。カードが挿入されると、スライド部材５０１の後方側への移動に伴って係止部材５０３が直線状ガイド溝５１７を介して第１ガイド溝５１３に進む。そして、係止部材５０３が第１ガイド溝５１３の前方側端部に到達する位置までカードが押し込まれると、係止部材５０３は、凹み溝５１６に進んだ後、係止部５１５に係止された状態となる。そして、係止部材５０３が係止部５１５に係止された状態から、更にカードが押し込まれると、係止部材５０３は、凹み溝５１６から第２ガイド溝５１４に進む。そして、第２ガイド溝５１４から直線状ガイド溝５１７に進み、再び、係止部材５０３が直線状ガイド溝５１７の後方側端部に配置された状態となる。
【００３５】
検出機構６は、板状部６０１と、当接部６０２と、不図示の接点部とから構成される。板状部６０１は、ハウジング２の収容部２０６に収容される。当接部６０２は、板状部６０１の内側面に設けられており、その一部がカードＡの挿入経路上に露出した状態となっている。接点部は、板状部６０１の下方側に配設された固定接点部と、板状部６０１の下面部に揺動可能に固定された可動接点部とから構成されている。例えば、可動接点部は、トーションスプリングで構成され、カードＡの挿入、非挿入状態等に応じて、当接部６０２が変位して板状部６０１の角度を変化させることで、固定接点部との間の導通状態、非導通状態を切り替えるように構成されている。なお、検出機構６の構成については、これに限定されるものではなく適宜変更が可能である。
【００３６】
ここで、本実施の形態に係るコネクタ１のハウジング２に選択的に装着されるカードＡ、カードＢの構成について説明する。図４は、本実施の形態に係るコネクタ１のハウジング２に選択的に装着されるカードＡの上面図（ａ）及び下面図（ｂ）である。図５は、本実施の形態に係るコネクタ１のハウジング２に選択的に装着されるカードＢの上面図（ａ）及び下面図（ｂ）である。図６は、本実施の形態に係るコネクタ１のハウジング２に選択的に装着されるカードＡ、カードＢの先端部を説明するための図である。
【００３７】
カードＡは、図４（ａ）に示すように、挿入方向の先端部の右方側に切欠き部７０１が設けられている。カードＡの左方側の側縁部には、書き込み状態の許否を切り替える識別子７０２が設けられる一方、右方側の側縁部には、凹部７０３及び金属製の枠部材７０４が設けられている。また、カードＡの下面であって挿入方向の先端部には、図４（ｂ）に示すように、複数の凹部７０５が設けられ、これらの凹部７０５内に接触パッド７０６が配置されている。そして、これらの凹部７０５の間には、隣接する接触パッド７０６間を仕切る仕切り壁７０７が設けられている。また、カードＡの側縁部には、ハウジング２の第１ガイド部２０４に案内される段差部７０８が設けられている。
【００３８】
カードＢは、カードＡよりも狭幅に設けられると共に、カードＡよりも長い形状を有している。カードＢは、図５（ａ）に示すように、挿入方向の先端部の左方側に切欠き部８０１が設けられている。カードＢの下面であって挿入方向の先端部には、図５（ｂ）に示すように、複数の凹部８０２が設けられ、これらの凹部８０２内に接触パッド８０３が配置されている。そして、これらの凹部８０２の間には、隣接する接触パッド８０３間を仕切る仕切り壁８０４が設けられている。また、挿入方向の先端部であって、図５（ｂ）に示す右方側端部には、凹部８０５が設けられ、この凹部８０５の挿入方向の後方側には、略半円形状の凹部８０６が設けられている。
【００３９】
また、カードＢは、図６（ａ）、（ｂ）に示すように、カードＡよりも肉厚に設けられている。カードＡの接触パッド７０６は、カードＡの下面近傍に設けられている。一方、カードＢの接触パッド８０３は、カードＢの上面近傍に設けられている。カードＢの仕切り壁８０４は、その高さ方向（すなわち、図６（ｂ）に示す上下方向）の寸法がカードＡの仕切り壁７０７よりも高く構成されている。
【００４０】
次に、本実施の形態に係るコネクタ１にカードＡ、カードＢを挿入する場合の動作について説明する。図７〜図９は、本実施の形態に係るコネクタ１にカードＡを挿入した場合の動作について示す上面図である。図１０及び図１１は、それぞれ図９に示す状態のコネクタ１の検出用コンタクト２１４、２１５周辺の下面図及び側断面図である。なお、図７〜図９及び図１０、図１１においては、説明の便宜上、カバー部材３を省略している。
【００４１】
図７は、カード装着空間にカードＡを挿入した直後の状態を示している。カードＡは、ハウジング２の第１ガイド部２０４に側面及び下面を合わせた状態でカード装着空間に挿入される。図７に示す状態では、カードＡは、スライド部材５０１に当接しておらず、スライド部材５０１は、初期位置（すなわち、最も前方側の位置）に配置された状態となっている。係止部材５０３は、その前方側端部を直線状ガイド溝５１７の後方側端部に配置されている。なお、スライド部材５０１の板状部５０６に設けられた係合部５０６ａは、カードＡの凹部７０３から離間した状態となっている。
【００４２】
図７に示す状態からカードＡを押し込むと、カードＡの右方側先端部がスライド部材５０１の第１当接部５０４に当接し、これ以降、スライド部材５０１がカードＡと一体的にスライド移動可能とされる。なお、カードＡの右方側先端部が第１当接部５０４に当接した時点では、係止部材５０３は、その前方側端部を直線状ガイド溝５１７の後方側端部に配置した状態を維持している。カードＡの右方側先端部が第１当接部５０４に当接するのと略同一のタイミングで、カードＡの凹部７０３には、図８に示すように、スライド部材５０１の板状部５０６に設けられた係合部５０６ａが係合する。これにより、カードＡの移動には、係合部５０６ａにより規制されることとなり、排出動作時等にカードＡがハウジング２から飛び出すような事態を防止できるものとなっている。
【００４３】
図８に示す状態から更にカードＡを押し込むと、カードＡの後方側への移動に伴ってスライド部材５０１は、圧縮ばね５０２の付勢力に抗して移動する。これに伴い、係止部材５０３は、直線状ガイド溝５１７、第１ガイド溝５１３内を摺動する。そして、最も後方側まで押し込んだ後、カードＡを押し込む手を離すと、係止部材５０３の前方側端部が凹み溝５１６の係止部５１５に係止された状態となる。図９は、係止部材５０３が係止部５１５に係止され、カードＡがロックされた状態について示している。カードＡがロックされた状態においては、カードＡ用コンタクト２１２の湾曲形状部２１３は、カードＡの凹部７０５に入り込み、その頂部２１３ａが接触パッド７０６に接触した状態となっている。
【００４４】
この場合において、検出用コンタクト２１４、２１５の湾曲形状部２１４ａ、２１５ａは、図１０に示すように、同一の接触パッド７０６に接触している。また、湾曲形状部２１４ａ、２１５ａは、図１１に示すように、カードＡの厚さ方向で略同一の位置に配置された状態で接触パッド７０６に接触した状態となっている。このとき、検出用コンタクト２１４の張出部２１４ｂは、カードＡの仕切り壁７０７には当接せず、湾曲形状部２１４ａの頂部が、湾曲形状部２１５ａの頂部と同様に接触パッド７０６に接触するように構成されている。このように本実施の形態に係るコネクタ１においては、一対の検出用コンタクト２１４、２１５が同一の接触パッド７０６に接触し、両者の間の導通状態が切り替えられることで、カードＡの装着を検出できるものとなっている。
【００４５】
図１２〜図１４は、本実施の形態に係るコネクタ１にカードＢを挿入した場合の動作について示す上面図である。図１５及び図１６は、それぞれ図１２に示す状態のコネクタ１の検出用コンタクト２１４、２１５周辺の下面図及び側断面図である。図１７及び図１８は、それぞれ図１３及び図１４に示す状態のコネクタ１の検出用コンタクト２１４、２１５周辺の下面図である。なお、図１２〜図１４及び図１５〜図１８においては、説明の便宜上、カバー部材３を省略している。
【００４６】
図１２は、カード装着空間にカードＢを挿入し、カードＢの右方側先端部がスライド部材５０１の第２当接部５０５に当接する直前の状態を示している。カードＢは、ハウジング２の第２ガイド部２０５に側面及び下面を合わせた状態でカード装着空間に挿入される。図１２に示す状態では、カードＢは、スライド部材５０１に当接しておらず、スライド部材５０１は、初期位置（すなわち、最も前方側の位置）に配置された状態となっている。係止部材５０３は、その前方側端部を直線状ガイド溝５１７の後方側端部に配置されている。
【００４７】
この場合において、検出用コンタクト２１４、２１５の湾曲形状部２１４ａ、２１５ａは、図１５に示すように、カードＢの同一の凹部８０２に収容される位置に配置されている。検出用コンタクト２１４の張出部２１４ｂは、当該凹部８０２に隣接する仕切り壁８０４（図１５に示す右方側の仕切り壁８０４）に対応する位置に配置されている。このため、カードＢの挿入に伴って、湾曲形状部２１４ａ、２１５ａが当該凹部８０２に収容されると、図１６に示すように、仕切り壁８０４の下面により張出部２１４ｂが押し下げられ、検出用コンタクト２１４が検出用コンタクト２１５から、仕切り壁８０３の高さ方向に離間した状態とされる。このため、検出用コンタクト２１４の湾曲形状部２１４ａが、検出用コンタクト２１５の湾曲形状部２１５ａに接触することはない。
【００４８】
特に、検出用コンタクト２１５の湾曲形状部２１５ａは、検出用コンタクト２１４の湾曲形状部２１４ａが接近してきた場合にこれを収容できるように緩やかな湾曲形状に構成されている（図１６参照）。このため、仮に、カードＢの挿入に伴って検出用コンタクト２１４の湾曲形状部２１４ａが検出用コンタクト２１５の湾曲形状部２１５ａ側に移動した場合においても、双方の検出用コンタクト２１４、２１５同士が接触する事態を防止することができるものとなっている。
【００４９】
図１２に示す状態からカードＢを押し込むと、図１３に示すように、カードＢの右方側先端部がスライド部材５０１の第２当接部５０５に当接し、これ以降、スライド部材５０１がカードＢと一体的にスライド移動可能とされる。なお、カードＢの右方側先端部が第２当接部５０５に当接した時点では、係止部材５０３は、その前方側端部を直線状ガイド溝５１７の後方側端部に配置した状態を維持している。
【００５０】
この場合、検出用コンタクト２１４、２１５の湾曲形状部２１４ａ、２１５ａは、図１５に示す状態から、図１７に示す状態に移行する。図１７に示す状態においても、検出用コンタクト２１４の張出部２１４ｂは、仕切り壁８０４の下面により押し下げられた状態となっており、検出用コンタクト２１４が検出用コンタクト２１５から、仕切り壁８０４の高さ方向に離間した状態とされる。このため、カードＢの右方側先端部がスライド部材５０１の第２当接部５０５に当接するタイミングにおいても、検出用コンタクト２１４の湾曲形状部２１４ａが、検出用コンタクト２１５の湾曲形状部２１５ａに接触することはない。
【００５１】
図１３に示す状態から更にカードＢを押し込むと、カードＢの後方側への移動に伴ってスライド部材５０１は、圧縮ばね５０２の付勢力に抗して移動する。これに伴い、係止部材５０３は、直線状ガイド溝５１７、第１ガイド溝５１３内を摺動する。そして、最も後方側まで押し込んだ後、カードＢを押し込む手を離すと、係止部材５０３の前方側端部が凹み溝５１６の係止部５１５に係止された状態となる。図１４は、係止部材５０３が係止部５１５に係止され、カードＢがロックされた状態について示している。
【００５２】
カードＢがロックされた状態においては、カードＢ用コンタクト２１０の湾曲形状部２１１は、カードＢの凹部８０２に入り込み、その頂部２１１ａが接触パッド８０３に接触した状態となっている。検出用コンタクト２１４、２１５の湾曲形状部２１４ａ、２１５ａは、図１７に示す状態から、図１８に示す状態に移行する。すなわち、検出用コンタクト２１４、２１５の湾曲形状部２１４ａ、２１５ａは、カードＢの凹部８０２を通過し、カードＢの下面に接触した状態となっている。このため、検出用コンタクト２１４の湾曲形状部２１４ａは、カードＢの挿入工程を通じて検出用コンタクト２１５の湾曲形状部２１５ａに接触することはない。
【００５３】
このように本実施の形態に係るコネクタ１においては、検出用コンタクト２１４に、カードＢの仕切り壁８０４に当接して仕切り壁８０４の高さ方向に移動させる当接部としての張出部２１４ｂを設け、当該検出用コンタクト２１４を検出用コンタクト２１５から仕切り壁８０４の高さ方向に離間させるようにしている。これにより、検出用コンタクト２１４が仕切り壁８０４の側面に沿って検出用コンタクト２１５側に移動して両者が導通することを防止することができるので、検出対象カードであるカードＡの接触パッド７０６を利用してカードＡの装着の検出を行う場合においても、非検出対象カードであるカードＢの挿入に伴って誤検出される事態を防止することが可能となる。
【００５４】
特に、本実施の形態に係るコネクタ１においては、検出用コンタクト２１４の一部をカードＢの仕切り壁８４側に張り出させて当接部としての張出部２１４ｂを形成していることから、安価且つ簡単な構成で検出用コンタクト２１４と検出用コンタクト２１５との導通を防止できるものとなっている。
【００５５】
しかも、検出用コンタクト２１４において、張出部２１４ｂは、湾曲形状部２１４ａから離間した位置に配置されている。このため、検出用コンタクト２１４の湾曲形状部２１４ａがカードＢの仕切り壁８０４と接触することを防止でき、湾曲形状部２１４ａが摩耗する事態を防止することができるので、一対の検出用コンタクト２１４、２１５における接触安定性を確保することができるものとなっている。
【００５６】
また、本実施の形態に係るコネクタ１においては、カード挿入方向の手前側にカードＡ用コンタクト２１２を配置する一方、カード挿入方向の奥側にカードＢ用コンタクト２１０を配置していることから、カードの種類に応じて装着位置をカード挿入方向の前後にずらしたコネクタ１において、奥側まで挿入されるカードＢの挿入に伴う誤検出を確実に防止することができるものとなっている。
【００５７】
特に、本実施の形態に係るコネクタ１においては、カードＡ用コンタクト２１２の基端部をカード挿入口４側に配置する一方、先端部をカード挿入方向の奥側に向けて延出させ、張出部２１４ｂを基端部側の一部に設けている。これにより、カードＡの挿入に伴ってその先端部が当接する事態を防止できるので、カードＡ用コンタクト２１２が座屈する事態を防止することができるものとなっている。
【００５８】
なお、本発明は上記実施の形態に限定されず、種々変更して実施することが可能である。上記実施の形態において、添付図面に図示されている大きさや形状などについては、これに限定されず、本発明の効果を発揮する範囲内で適宜変更することが可能である。その他、本発明の目的の範囲を逸脱しない限りにおいて適宜変更して実施することが可能である。
【００５９】
例えば、上記実施の形態においては、カードＢの挿入に伴って後述する仕切り壁８０４の下面に当接して仕切り壁８０４の高さ方向に検出用コンタクト２１４を移動させる張出部２１４ｂを当接部の具体例として説明しているが、当接部の構成については、これに限定されるものではなく適宜変更が可能である。カードＢの挿入に伴って後述する仕切り壁８０４の下面に当接して仕切り壁８０４の高さ方向に検出用コンタクト２１４を移動させることができれば、どのような構成を採用しても良い。
【符号の説明】
【００６０】
１  カード用コネクタ（コネクタ）
２  ハウジング
２０１  ベース部
２０２  側壁部
２０３  係合片
２０４  第１ガイド部
２０５  第２ガイド部
２０６  収容部
２０７  保持片
２０８  係止穴
２０９  後壁部
２１０  カードＢ用コンタクト
２１１  湾曲形状部
２１１ａ  頂部
２１２  カードＡ用コンタクト
２１３  湾曲形状部
２１３ａ  頂部
２１４、２１５  検出用コンタクト
２１４ａ、２１５ａ  湾曲形状部
２１４ｂ  張出部
２１６  突出片
２１７  突出壁
３  カバー部材
３０１  切り欠き部
３０２  付勢片
３０３  支持片
３０４  開口部
４  カード挿入口
５  排出機構
５０１  スライド部材
５０２  圧縮ばね
５０３  係止部材
５０４  第１当接部
５０５  第２当接部
５０６  板状部
５０６ａ  係合部
５１１  ガイド溝
５１２  ハート形カム
５１３  第１ガイド溝
５１４  第２ガイド溝
５１５  係止部
５１６  凹み溝
５１７  直線状ガイド溝
６  検出機構
６０１  板状部
６０２  当接部
７０３  凹部
７０４  枠部材
７０５  凹部
７０６  接触パッド
７０７  仕切り壁
８０２  凹部
８０３  接触パッド
８０４  仕切り壁
【図１】
2011054460.tif 000003
【図２】
2011054460.tif 000004
【図３】
2011054460.tif 000005
【図４】
2011054460.tif 000006
【図５】
2011054460.tif 000007
【図６】
2011054460.tif 000008
【図７】
2011054460.tif 000009
【図８】
2011054460.tif 000010
【図９】
2011054460.tif 000011
【図１０】
2011054460.tif 000012
【図１１】
2011054460.tif 000013
【図１２】
2011054460.tif 000014
【図１３】
2011054460.tif 000015
【図１４】
2011054460.tif 000016
【図１５】
2011054460.tif 000017
【図１６】
2011054460.tif 000018
【図１７】
2011054460.tif 000019
【図１８】
2011054460.tif 000020